(57)【要約】【課題】リモコンラック等に収納したリモコンが詰め過ぎにより、ボタンが押されていることがある。テレビやビデオのリモコンのボタンが押されたままになっていると、リモコン信号が送信し続けるため、エアコン等他のリモコンを受信しないことがあり、リモコン及び室内機本体が正常でもリモコン受信不良となり商品交換となるケースがある。【解決手段】応急運転ボタンを長押し等することにより、受信チェックモードに設定し、受信チェックモード中に、家製協フォーマット等の特定のフォーマットに準拠したリモコン信号を受信した場合、報知音を鳴らすことにより、リモコン受信不良要因を特定し、不要な商品交換等を防止する。【選択図】図１
2010119100.tif 000002
【特許請求の範囲】
【請求項１】
赤外線または無線によるワイヤレスリモコン信号を受信し復調する受信手段と、前記受信手段からの入力信号のエッジを検出するエッジ検出手段と、リモコン信号のデータ判別を行うリモコン信号受信モードと外乱ノイズが入力されたかどうか判別するノイズチェックモードとの切換えを行うモード切換え手段と、前記エッジ検出手段の出力により信号受信割込み要求を出力する割込み要求手段と、前記割込み要求手段の出力により受信信号データパルスの周期を測定しデータを判別するデータ判別手段とを備え、前記リモコン信号はリーダ部、データ部、トレーラ部で構成され、リモコン信号受信モードに設定中は前記リモコン信号のリーダ部とメーカまたは機種に対応した所定のフォーマットの信号からなるデータ部およびトレーラ部によりリモコン信号の受信判定を行い、ノイズチェックモードに設定中は前記リモコン信号のリーダ部およびトレーラ部が受信できれば外乱ノイズが入力されたと判定するリモコン受信装置。
【請求項２】
前記ノイズチェックモードに設定中はリモコン信号のリーダ部、トレーラ部の順で受信できれば外乱ノイズが入力されたと判定する請求項１に記載のリモコン受信装置。
【請求項３】
前記ノイズチェックモードに設定中はリモコン信号のリーダ部とトレーラ部の間に所定のパルス幅の信号が受信できれば外乱ノイズが入力されたと判定する請求項１または２に記載のリモコン受信装置。
【請求項４】
前記リモコン信号受信モードに設定中にリモコン信号を受信できたことを報知するブザーを備え、外乱ノイズが入力されたかどうか判別するノイズチェックモードに設定中に外乱ノイズが入力されたと判定すると前記ブザーで報知する請求項１から３のいずれか1項に記載のリモコン受信装置。
【請求項５】
運転状態を表示する表示ランプを備え、外乱ノイズが入力されたかどうか判別するノイズチェックモードに設定中に外乱ノイズが入力されたと判定すると前記表示ランプを点灯する請求項１から４のいずれか1項に記載のリモコン受信装置。
【請求項６】
前記モード切換え手段は、ノイズチェックモードに切換えた後、一定時間経過すると自動的にリモコン信号のデータ判別を行うリモコン信号受信モードに切換える請求項１から５のいずれか1項に記載のリモコン受信装置。
【発明の詳細な説明】
【技術分野】
【０００１】
本発明は、電化製品などに用いられている赤外線または無線によるリモコン受信装置に関するものである。
【背景技術】
【０００２】
従来、この種のリモコン受信装置は、エアコンをはじめとしてテレビ、ＤＶＤプレーヤー等ほとんどの電化製品に用いられ、例えば赤外線で変調された光を受信する受信部を備え、リモコンから放射された赤外線信号を受信することによって、電源のオン、オフや設定変更等多くの制御を行うようになっている（例えば、特許文献１参照）。
【先行技術文献】
【特許文献】
【０００３】
【特許文献１】特開平１１−６９４６６号公報
【発明の概要】
【発明が解決しようとする課題】
【０００４】
しかしながら、前記従来の構成では、送信信号のキャリア周波数が電子式蛍光灯の電源周波数に掛かっており、蛍光灯の近くでの使用時には受信装置が誤動作したり、また、リモコンラック等に収納したリモコンが、詰め過ぎにより、テレビ等のリモコンのボタンが押されたままになっていると、ボタンが押されたままの他のリモコンが信号を送信し続けるため、リモコンを受信しないことがある等の外乱ノイズの影響で、リモコン及び機器本体が正常でもリモコン受信不良と判断され商品交換となるケースがあるという課題を有していた。
【０００５】
本発明は、上記従来の課題を解決するもので、リモコン受信不良要因を特定し、不要な商品交換等を防止するリモコン受信装置を提供することを目的とする。
【課題を解決するための手段】
【０００６】
前記従来の課題を解決するために、本発明のリモコン受信装置は、赤外線または無線によるワイヤレスリモコン信号を受信し復調する受信手段と、受信手段からの入力信号のエッジを検出するエッジ検出手段と、リモコン信号のデータ判別を行うリモコン信号受信モードと外乱ノイズが入力されたかどうか判別するノイズチェックモードとの切換えを行うモード切換え手段と、エッジ検出手段の出力により信号受信割込み要求を出力する割込み要求手段と、割込み要求手段の出力により受信信号データパルスの周期を測定しデータを判別するデータ判別手段とを備え、リモコン信号受信モードに設定中は前記リモコン信号のリーダ部とメーカまたは機種に対応した所定のフォーマットの信号からなるデータ部およびトレーラ部によりリモコン信号の受信判定を行い、ノイズチェックモードに設定中はリモコン信号のリーダ部、トレーラ部の順で受信できれば外乱ノイズが入力されたと判定することにより、リモコン受信不良が発生した場合、ノイズチェックモードに設定し、蛍光灯ノイズや他リモコンからの送信信号等外乱ノイズが入力されたと判定すると報知音を鳴らすものである。
【０００７】
これにより、リモコン受信不良が発生した場合でも、リモコン受信不良要因を特定することができる。
【発明の効果】
【０００８】
本発明のリモコン受信装置は、リモコン受信不良が発生した場合に、ノイズチェックモ
ードに設定することにより、蛍光灯ノイズや他リモコンからの送信信号等外乱ノイズが入力されているかどうか判定できるため、リモコン受信不良要因を特定し、不要な商品交換等を防止することができる。
【図面の簡単な説明】
【０００９】
【図１】本発明の実施の形態１におけるリモコン受信装置のブロック図
【図２】本発明の実施の形態１で用いられる家電製品協会の伝送信号フォーマットの説明図
【発明を実施するための形態】
【００１０】
第１の発明は、赤外線または無線によるワイヤレスリモコン信号を受信し復調する受信手段と、受信手段からの入力信号のエッジを検出するエッジ検出手段と、リモコン信号のデータ判別を行うリモコン信号受信モードと外乱ノイズが入力されたかどうか判別するノイズチェックモードとの切換えを行うモード切換え手段と、エッジ検出手段の出力により信号受信割込み要求を出力する割込み要求手段と、割込み要求手段の出力により受信信号データパルスの周期を測定しデータを判別するデータ判別手段とを備え、リモコン信号受信モードに設定中は前記リモコン信号のリーダ部とメーカまたは機種に対応した所定のフォーマットの信号からなるデータ部およびトレーラ部によりリモコン信号の受信判定を行い、ノイズチェックモードに設定中はリモコン信号のリーダ部およびトレーラ部が受信できれば外乱ノイズが入力されたと判定することにより、リモコン受信不良が発生した場合には、ノイズチェックモードに設定することにより、蛍光灯ノイズや他リモコンからの送信信号等外乱ノイズが入力されているかどうか判定できるため、リモコン受信不良要因を特定することができる。
【００１１】
第２の発明は、特に第１の発明において、外乱ノイズが入力されたかどうか判別するノイズチェックモードに設定中はリモコン信号のリーダ部、トレーラ部の順で受信できれば外乱ノイズが入力されたと判定することにより、家電製品協会推奨方式の伝送信号フォーマット等の特定のフォーマットで構成されるリモコン信号が入力されたと判定できる。
【００１２】
第３の発明は、特に第１または２の発明において、外乱ノイズが入力されたかどうか判別するノイズチェックモードに設定中はリモコン信号のリーダ部とトレーラ部の間にデータ部として定義されたパルス幅の信号が受信できれば、家電製品協会推奨方式の伝送信号フォーマット等の特定のフォーマットで構成されるリモコン信号が入力されたと判定し、リーダ部とトレーラ部の間に所定のパルス幅の信号が受信できなければ、特定のフォーマットで構成されるリモコン信号でないと判定することにより、より精度良くリモコン受信不良要因を特定することができる。
【００１３】
第４の発明は、特に第１から３の発明において、リモコン信号のデータ判別を行うリモコン信号受信モードに設定中にリモコン信号を受信できたことを報知するブザーを備え、外乱ノイズが入力されたかどうか判別するノイズチェックモードに設定中に外乱ノイズが入力されたと判定するとブザーで報知することにより、コストアップ無しで確実に外乱ノイズの入力を知らせることができる。
【００１４】
第５の発明は、特に第１から４の発明において、運転状態を表示する表示ランプを備え、外乱ノイズが入力されたかどうか判別するノイズチェックモードに設定中に外乱ノイズが入力されたと判定すると表示ランプを点灯することにより、コストアップ無しで確実に外乱ノイズの入力を知らせることができる。
【００１５】
第６の発明は、特に第１から５の発明において、外乱ノイズが入力されたかどうか判別するノイズチェックモードに切換えた後、一定時間経過すると自動的にリモコン信号のデ
ータ判別を行うリモコン信号受信モードに切換えることにより、ノイズチェックモード設定後、リモコン信号受信モードに切換える手間を省くことができる。
【００１６】
以下、本発明の実施の形態について図面を参照しながら説明する。なお、この実施の形態によって本発明が限定されるものではない。
【００１７】
（実施の形態１）
図１は、本発明の実施の形態１におけるリモコン受信装置のブロック図を示すものである。図１に示すように、送信機１１と受信機１２間で、３６．７ｋＨｚの赤外線キャリアで振幅変調された伝送信号の送受信が行われ、この信号により電子機器の運転制御等が行われている。
【００１８】
受信機１２内部には、送信機１１からの伝送信号を受信する赤外線受光素子と、伝送信号キャリア周波数成分を除去するローパスフィルタ等で構成された受信ユニット１３があり、この後段に伝送信号の受信や解読を行うマイクロコンピュータ（以下「マイコン」）で構成される制御部１４がある。
制御部１４は、受信手段１３からの入力信号のエッジを検出するエッジ検出手段１５と、リモコン信号受信モードとノイズチェックモードとの切換えを行うモード切換え手段１６と、エッジ検出手段１５からの出力をもとに割込み要求を出力する割込み要求手段１７と、割込み要求手段１７の出力ももとに受信データの判別を行うデータ判別手段１８で構成される。
【００１９】
送信機１１側で出力されるハイレベル信号（以下「Ｈ」）とロウレベル信号（以下「Ｌ」）の信号は、受信機１２中の受信手段１３でＨとＬが反転され、制御部１４に入力される。
【００２０】
信号パルスは、マイコンのエッジ検出手段１５である外部割り込み端子に入力され、エッジ検出手段１５からの出力により、割込み要求手段１７は、外部エッジ割り込みを発生させる。マイコン内部のデータ判別手段１８は、その外部エッジ割り込みをトリガーにしてエッジからエッジまでの時間を内部タイマーで計測し、受信データ列を内部レジスタに取り込んでいく。
【００２１】
図２は、本実施の形態で用いられる家電製品協会推奨方式の伝送信号フォーマットを示すものであり、（ａ）リモコン信号フォーマット、（ｂ）リーダ部の波形、（ｃ）データ部「０」の波形、（ｄ）データ部「１」の波形、（ｅ）トレーラ部の波形である。この信号の構成は、図２に示す如く「Ｈ」と「Ｌ」で構成され、最初にリーダ部があり、次にデータ部、トレーラ部から構成されている。
【００２２】
リーダ部とは信号の先頭部分を示すものであり、データ部とはメーカを識別するためのメーカコード、機器の識別を行うためのカスタムコード（機器コード）および機器の制御を行うためのデータコード等で構成され、トレーラ部は信号の終了を示している。
【００２３】
ここで図２において、Ｔはパルス基本時間を示し４３６μｓｅｃである。伝送信号からリーダ部とデータ部、トレーラ部の信号内容の解読手段として、パルスのエッジ検出から次の検出までの時間をカウントして、リーダ部、データ部、トレーラ部を判定し、所望の信号であるか否かの判定を行っている。
【００２４】
通常、モード切換え手段によりリモコン信号受信モードに設定されており、マイコンは、伝送信号の取り込みにおいてまず、リーダ部があるかどうかの検出を行う。受信手段１３からの入力信号のエッジをエッジ検出手段１５により検出し、検出されたエッジにより
割込み要求手段１７は割込み要求信号を出力し、データ判別手段１８ではこの割込み処理によりエッジからエッジまでの時間を測定することにより、受信信号データパルスの周期を測定する。もし約５．２ｍｓｅｃのリーダ部が見つかれば、図２に示すようなデータ列を同様に順次取り込んで行く。そして、約７５ｍｓｅｃのトレーラ部を検出できればデータ受信を完了する。
【００２５】
本実施の形態では、リモコン受信不良が発生すると、リモコン受信不良要因を特定するため、モード切換え手段１６により、ノイズチェックモードに設定する。具体的な方法としては、応急運転ボタンを長押しすることによりモード切換えを行う。また、ノイズチェックモードに設定後、５分経過すると自動的にリモコン信号受信モードに切換わるようになっている。
【００２６】
モード切換え手段１６によりノイズチェックモードに設定すると、マイコンはまず、リーダ部があるかどうかの検出を行う。受信手段からの入力信号のエッジをエッジ検出手段１５により検出し、検出されたエッジにより割込み要求手段１７は割込み要求信号を出力し、データ判別手段１８ではこの割込み処理によりエッジからエッジまでの時間を測定することにより、受信信号データパルスの周期を測定する。
【００２７】
もし約５．２ｍｓｅｃのリーダ部が検出でき、その後、約７５ｍｓｅｃのトレーラ部を検出すれば、家電製品協会推奨方式の伝送信号フォーマットに準拠した他メーカや他機器のリモコン等から信号が送信されていると判断できる。リーダ部とトレーラ部間の受信信号データパルスの周期に関しては、データ部のチェックは行わなくてもよいが、図２に示すデータ部（ｃ）または（ｄ）に合致しているかチェックを行った方が、より確実に他メーカや他機器のリモコン等から家電製品協会推奨方式の電装信号フォーマットに準拠した外乱ノイズが入力されたと判定できる。
【００２８】
以上のように、外乱ノイズが入力されたと判定されると、ブザーにより報知音を鳴らすことで、蛍光灯ノイズや他リモコンからの送信信号等外乱ノイズが入力されていることがリモコン受信不良要因であると特定することができるため、不要な商品交換等を防止することができる。
【産業上の利用可能性】
【００２９】
以上のように、本発明にかかるリモコン受信装置は、リモコン受信不良が発生した場合、ノイズチェックモードに設定することにより、外乱ノイズが入力されたかどうか判定し、リモコン受信不良要因を特定できるため、リモコンを使用したエアコン，給湯機，テレビ等の家電機器や産業機器の用途に広く適用できる。
【符号の説明】
【００３０】
１１  送信機
１２  受信機
１３  受信手段
１４  制御部
２１  リーダ部
２２  メーカコード部
２３  パリティ部
２４  機器コード部
２５  データコード部
２６  トレーラ部
【図１】
2010119100.tif 000003
【図２】
2010119100.tif 000004